(57)【要約】【課題】  浴槽内に固定して入浴に支障を与えず浴湯全体に入浴材の効果を作用させる容器収容型入浴材を提供することである。【解決手段】  浴槽の側面に設けられる温水循環口の周囲に設置される容器収容型入浴材１であって、固体の入浴材と、これを収容する容器２と、この容器２を浴槽に固定する固定部５ａ，５ｂとを有し、容器２は、温水循環口を被装可能とする凹部９を形成しながら入浴材を収容可能な収容部と、温水が流通可能な複数の孔部３とを備え、固定部５ａ，５ｂは、収容部に形成される凹部９を温水循環口に被装した状態で容器２を浴槽に固定可能に設けられるものである。【選択図】  図１
2009240462.tif 000002
【特許請求の範囲】
【請求項１】
浴槽の側面に設けられる温水循環口の周囲に設置される容器収容型入浴材であって、固体の入浴材と、これを収容する容器と、この容器を前記浴槽に固定する固定部とを有し、
前記容器は、前記温水循環口を被装可能とする凹部を形成しながら前記入浴材を収容可能な収容部と、温水が流通可能な複数の孔部とを備え、
前記固定部は、前記収容部に形成される凹部を前記温水循環口に被装した状態で前記容器を前記浴槽に固定可能に設けられることを特徴とする容器収容型入浴材。
【請求項２】
浴槽の側面に設けられる温水循環口の周囲に設置される容器収容型入浴材であって、固体の入浴材と、これを収容する容器と、この容器を前記浴槽に固定する固定部とを有し、
前記容器は、前記温水循環口に外嵌可能とする外嵌孔部を形成しながら前記入浴材を収容可能な収容部と、温水が流通可能な複数の孔部とを備え、
前記固定部は、前記収容部に形成される外嵌孔部を前記温水循環口に外嵌した状態で前記容器を前記浴槽に固定可能に設けられることを特徴とする容器収容型入浴材。
【請求項３】
浴槽の側面に設けられる温水循環口に設置される容器収容型入浴材であって、固体の入浴材と、これを収容する容器と、この容器を前記温水循環口に固定する固定部とを有し、
前記容器は、前記温水循環口に嵌合可能とする凹部を形成しながら前記入浴材を収容可能な収容部と、温水を濾過可能な複数の孔部とを備え、
前記固定部は、前記収容部に形成される凹部を前記温水循環口に嵌合した状態で前記容器を前記温水循環口に固定可能に設けられることを特徴とする容器収容型入浴材。
【請求項４】
前記入浴材は、トルマリン鉱石、ゲルマニウム鉱石、ラジウム、麦飯石のうちの少なくとも１種類を含むことを特徴とする請求項１乃至請求項３のいずれか１項に記載の容器収容型入浴材。
【請求項５】
前記入浴材を収容可能な第２の収容部と、温水が流通可能な複数の第２の孔部を備え、前記容器の収容部に着脱可能に収容される第２の容器を具備することを特徴とする請求項１乃至請求項４のいずれか１項に記載の容器収容型入浴材。
【発明の詳細な説明】
【技術分野】
【０００１】
本発明は、浴槽に固定して効果的な入浴を補助する容器収容型入浴材に関する。
【背景技術】
【０００２】
一般に、温泉等を利用した温浴は、温水で体を温めることによって血行不良が解消されたり、また、温泉に含まれる鉱泉成分に薬効があったりすることが知られており、古くから多くの人に親しまれているリラクゼーションのうちの一つである。しかしながら、温泉に入るためには、温泉地まで移動しなければならず、時間と費用が嵩むこともあって、手軽に利用することは困難であった。そこで、自宅の浴湯を温泉に見立てるために、温泉の鉱泉成分等を配合できる様々な入浴材等が考えられている。
【０００３】
例えば、特許文献１には、「水晶及びセラミックスを有する入浴材」という名称で、温熱効果に加えて、浴湯や浴槽に対して防汚効果がある水晶及びセラミックスを有する入浴材に関する発明が開示されている。
この特許文献１に開示された発明では、粒状の天然水晶と、アルミナ、シリカ、酸化鉄及び酸化チタンの中の少なくとも１つを主成分とした粒状の遠赤外線放射セラミックスと、アルミナ、シリカ及び銀の中の少なくとも１つを主成分とした粒状の抗菌性セラミックスとを、通孔が形成されて浴湯中で浮力を有する収容ケースに収容するものである。
そして、遠赤外線放射セラミックスによって、遠赤外線が放射されるので、入浴者は、皮下深層の温度の上昇、微細血管の拡張、血液循環の促進及び新陳代謝の強化等の温熱効果を得ることができる。また、加えて、遠赤外線放射セラミッククスには浴湯中の有機物を分解する作用もある。また、抗菌性セラミックスでは、浴湯中の細菌の繁殖が防止されるので、遠赤外線放射セラミックスとの併用で浴湯の浄化効果と細菌繁殖防止効果が得られる。そして、水晶は、浴湯との流動接触によって浴湯の電気伝導性を高めるので、浴湯中での遠赤外線の伝達をスムーズにすることができる。
また、水晶、遠赤外線放射セラミックス及び抗菌性セラミックスはそれぞれ粒状であるので、シート状やプレート状の従来品に比べて、浴湯との接触面積を大きくすることができる。そして、収容ケースを設けているので、入浴材は浮遊して自在に移動し、浴湯全体に効果を広めることができる。
【０００４】
また、特許文献２には、「遠赤外線放射材」という名称で、入浴時の代謝機能を促進させる効果と、浴湯の濾過及び浄化効果があり、低廉で耐久性のある入浴材となる遠赤外線放射材に関する考案が開示されている。
この特許文献２に開示された考案は、気孔を有する溶岩を小石状に形成し、通水性のある容器に収容するものである。
そして、この遠赤外線放射材を入浴材として浴湯中に投入すると、遠赤外線が発生し、入浴者は代謝機能を促進させることができる。また、浴湯の濾過や浄化作用があり、さらに、水道水の塩素臭の除去も可能である。また、遠赤外線放射材は、浴槽に係止可能な鎖を備えた容器に収容されており、この容器を浴槽から浴湯に入れるだけで簡単に使用することができる。そして、溶岩を利用することによって低廉化を可能としている。
【０００５】
そして、特許文献３には、「温泉浴槽装置」という名称で、鉱泉成分を含んだ浴湯を形成する温泉浴槽装置に関する考案が開示されている。
この特許文献３に開示された考案は、鉱泉成分を含有する鉱石の粒状物が充填された鉱石容器と、この鉱石容器と浴槽内に設置される水中ポンプとを連結し鉱石容器内に送水可能な送水パイプと、鉱泉容器内に立設され通水可能な複数の孔を備える通水パイプと、この通水パイプに接続され浴槽内に排水可能な開口端を備え、この開口端が浴湯の上方に配置される排出パイプとを備えるものである。
そして、浴槽内の水は水中ポンプによって吸い上げられて送水パイプから鉱石容器内に送られて、鉱石容器内で鉱石の粒状物に接触して鉱石の成分を溶出させながら通水パイプから排水パイプへ送られ、鉱石の成分を含んだ水が排水パイプの開口端から浴槽の水面上に排水される。したがって、ラジウム等の鉱泉成分を含む鉱石を用いると、温泉地以外でも鉱泉成分を溶出させた浴湯による温浴が可能となる。また、排水パイプの開口端を浴湯の上方に配置しているので、排水パイプからの水は浴湯に落下する際に気泡を形成し、この気泡は循環によってさらに細かな気泡となり、皮膚の温度感覚を和らげるように作用する。
【特許文献１】特開平６−１８３９５１号公報
【特許文献２】実用新案登録第３０４８９８５号公報
【特許文献３】実開平６−２９５３６号公報
【発明の開示】
【発明が解決しようとする課題】
【０００６】
しかしながら、特許文献１に記載された従来の技術では、容器を設けて浴湯に浮遊するように構成されているので、狭い浴槽内では入浴者に衝突するなど邪魔になったり、浴槽側面との衝突で傷がついてしまうという課題があった。また、容器内に入浴材を充填すると重量化するので浮遊し難くなり、結果、浴湯全体に溶出成分の拡散が困難になるという課題もあった。
【０００７】
また、特許文献２に記載された従来の技術では、浴槽の側面付近の一定の場所に吊設して使用しているので、入浴材から発生する遠赤外線を浴湯全体に拡散し難く、また、特に、浴湯の濾過、浄化作用は部分的には行われるものの浴湯全体の万遍ない効果は期待できないという課題があった。さらに、浴槽の側面において接触するため、側面にやはり傷をつけてしまうという課題があった。
【０００８】
そして、特許文献３に記載された従来の技術では、浴槽の外部に大掛かりな装置を設置するので、設置場所が必要となるとともに設置コストが嵩むという課題があった。また、装置のメンテナンスも煩雑となるという課題もあった。
【０００９】
本発明はかかる従来の事情に対処してなされたものであり、浴槽内に固定して入浴に支障を与えず、しかも浴槽の側面を傷つけることもなく、そして浴湯全体に入浴材の効果を作用させる容器収容型入浴材を提供することを目的とする。
【課題を解決するための手段】
【００１０】
上記目的を達成するため、請求項１記載の発明である容器収容型入浴材は、浴槽の側面に設けられる温水循環口の周囲に設置される容器収容型入浴材であって、固体の入浴材と、これを収容する容器と、この容器を浴槽に固定する固定部とを有し、容器は、温水循環口を被装可能とする凹部を形成しながら入浴材を収容可能な収容部と、温水が流通可能な複数の孔部とを備え、固定部は、収容部に形成される凹部を温水循環口に被装した状態で容器を浴槽に固定可能に設けられるものである。
上記構成の容器収容型入浴材では、容器の収容部は、固体の入浴材を収容するように作用するとともに、浴槽の側面に設けられる温水循環口を被装可能な凹部を形成するように作用する。また、容器の孔部は容器の外部から内部又は内部から外部へ温水を流通させるように作用する。そして、固定部は、容器の凹部を温水循環口に被装した状態で容器を浴槽に固定するように作用する。
【００１１】
また、請求項２に記載の発明である容器収容型入浴材は、浴槽の側面に設けられる温水循環口の周囲に設置される容器収容型入浴材であって、固体の入浴材と、これを収容する容器と、この容器を浴槽に固定する固定部とを有し、容器は、温水循環口に外嵌可能とする外嵌孔部を形成しながら入浴材を収容可能な収容部と、温水が流通可能な複数の孔部とを備え、固定部は、収容部に形成される外嵌孔部を温水循環口に外嵌した状態で容器を浴槽に固定可能に設けられるものである。
上記構成の容器収容型入浴材では、容器の収容部は、固体の入浴材を収容するように作用し、また、浴槽の側面に設けられる温水循環口を外嵌可能な外嵌孔部を形成するように作用する。また、容器の孔部は容器の内外部間で温水を流通させるように作用する。そして、固定部は、容器の外嵌孔部を温水循環口に外嵌した状態で容器を浴槽に固定するように作用する。
【００１２】
また、請求項３に記載の発明である容器収容型入浴材は、浴槽の側面に設けられる温水循環口に設置される容器収容型入浴材であって、固体の入浴材と、これを収容する容器と、この容器を温水循環口に固定する固定部とを有し、容器は、温水循環口に嵌合可能とする凹部を形成しながら入浴材を収容可能な収容部と、温水を濾過可能な複数の孔部とを備え、固定部は、収容部に形成される凹部を温水循環口に嵌合した状態で容器を温水循環口に固定可能に設けられる。
上記構成の容器収容型入浴材では、容器の収容部は、固体の入浴材を収容し、また、浴槽の側面に設けられる温水循環口に嵌合可能な凹部を形成するように作用する。また、容器の孔部は温水を流通させるとともに温水を濾過するように作用する。そして、固定部は、容器の凹部を温水循環口に嵌合した状態で容器を浴槽に固定するように作用する。
【００１３】
そして、請求項４に記載の発明である容器収容型入浴材は、請求項１乃至請求項３のいずれか１項に記載の容器収容型入浴材において、入浴材は、トルマリン鉱石、ゲルマニウム鉱石、ラジウム、麦飯石のうちの少なくとも１種類を含むものである。
上記構成の容器収容型入浴材では、請求項１乃至請求項３のいずれか１項に記載の発明の作用に加えて、トルマリン鉱石はマイナスイオンと遠赤外線を発生するように作用する。また、ゲルマニウム鉱石は入浴者に発汗させるように作用したり、血行を良好にするように作用したりする。そして、ラジウムは放射線を発生するように作用する。また、麦飯石は臭いや雑菌を吸着するように作用する。
【００１４】
そして、請求項５に記載の発明である容器収容型入浴材は、請求項１乃至請求項４のいずれか１項に記載の容器収容型入浴材において、入浴材を収容可能な第２の収容部と、温水が流通可能な複数の第２の孔部を備え、容器の収容部に着脱可能に収容される第２の容器を具備するものである。
上記構成の容器収容型入浴材では、請求項１乃至請求項４のいずれか１項に記載の発明の作用に加えて、第２の容器は、第２の収容部に入浴材を収容し、第２の孔部は第２の容器の内外部を温水が流通するように作用し、そして、容器の収容部に着脱自在に収容されるように作用する。
【発明の効果】
【００１５】
本発明の請求項１に記載の容器収容型入浴材では、浴槽の側面に設けられる温水循環口に被装して固定できるので、浴槽の側面を傷つけることがなく、入浴時に邪魔にもならず支障が少ない。また、温水循環口から吐出する温水が容器収容型入浴材を通過する際に入浴材の成分を溶出させて浴湯全体に拡散させるので、入浴者は入浴材の効能を十分に得ることができる。また、温水循環口の周囲に容器収容型入浴材を設置することによって温水循環口から吐出される熱い温水は容器収容型入浴材の複数の孔部から分散して流出されるので、入浴者の火傷防止に役立ち、安全性が高いものとなる。
【００１６】
また、本発明の請求項２に記載の容器収容型入浴材は、特に、温水循環口の周部に固定されるので、浴槽の側面を傷つけることがなく、温水循環口の側部から吐出される温水が効果的に容器収容型入浴材内に導かれ、入浴材の成分の溶出を促進させることができる。また、請求項１に記載の容器収容型入浴材と同様に、温水循環口からの熱い温水を容器収容型入浴材の複数の孔部から分散して流出するので、入浴者の火傷防止など安全性に配慮したものとなる。
【００１７】
そして、本発明の請求項３に記載の容器収容型入浴材では、容器が温水を濾過できる微細な複数の孔部を備えて、温水循環口に直接設置されるので、温水循環口に設置されるストレーナを不要とし、温水循環口周辺をよりコンパクトにすることができる。また、浴槽の側面を傷つけることがない。
【００１８】
そして、本発明の請求項４に記載の容器収容型入浴材では、トルマリン鉱石が発生するマイナスイオンと遠赤外線によって温感効果やリラクゼーションを体感することができる。また、ゲルマニウム鉱石によって発汗作用や血行を促進させる効果を得ることができる。そして、ラジウムの発生する放射線によってリュウマチや通風などに対して効果が期待できる。また、麦飯石は水道水の臭いや雑菌を吸着し、浴湯を快適かつ清潔に保持することができる。
【００１９】
最後に、本発明の請求項５に記載の容器収容型入浴材では、第２の容器を設けて容器の収容部に収容可能であり、消耗時の入浴材は第２の容器ごと交換が可能であるので簡単且つ迅速に行うことが可能となる。
【発明を実施するための最良の形態】
【００２０】
以下に、本発明に係る容器収容型入浴材の第１の実施の形態を図１乃至図３を参照しながら説明する。（請求項１、請求項４及び請求項５に対応）
図１（ａ）は、本発明の第１の実施の形態に係る容器収容型入浴材の前面の斜視図であり、（ｂ）は同じく容器収容型入浴材の背面の斜視図である。
図１（ａ）、（ｂ）において、容器収容型入浴材１は、図示していないが、固体の入浴材と、この入浴材を収納可能な容器２と、この容器２を浴槽に固定可能な固定部である一対の吸盤５ａ，５ｂから構成されている。
容器２は、略円柱形状の容器本体２ａと凹部を形成する蓋２ｂで構成されており、容器本体２ａと蓋２ｂの内側の空洞部分には入浴材を収容可能な収容部が形成されている。また、容器本体２ａの前面には複数の孔３が穿設されており、これらの孔３からは温水が流通できるようになっている。そして、符号４は、固定部材であり、容器２の容器本体２ａと蓋２ｂを固定するものである。また、同じく容器２の容器本体２ａと蓋２ｂは、リベット２ｃによっても固定されている。本実施の形態においては、固定具４とリベット２ｃの両方で容器本体２ａと蓋２ｂを固定しているが、いずれか一方でもよい。
また、一対の吸盤５ａ，５ｂは、容器２の円状の周縁を二分するように均等に配置され、容器２の周縁部に固設される連結部材７ａ，７ｂに枢設されている。吸盤５ａ，５ｂは、ロック部材６ａ，６ｂと支持部材８ａ，８ｂを備えており、吸盤５ａ，５ｂを設置面に当ててロック部材６ａ，６ｂをロック方向に回動させると、支持部材８ａ，８ｂが吸盤５ａ，５ｂを設置面側に押して、設置面の空気を排除して設置面に対して強固な接着力を発揮することができる。逆に、ロック部材６ａ，６ｂをロック方向と逆方向に移動すると、支持部材８ａ，８ｂが吸盤５ａ，５ｂから離れて、吸盤５ａ，５ｂは設置面から容易に剥離させることができる。
なお、本実施の形態においては、吸盤５ａ，５ｂは連結部材７ａ，７ｂを介して容器２に設けられ、さらに、接着力を強めるためにロック部材６ａ，６ｂと支持部材８ａ，８ｂを備えているが、特に、ロック部材６ａ，６ｂや支持部材８ａ，８ｂは必ずしも備える必要はなく、吸盤５ａ，５ｂが、容器２に連結部材７ａ，７ｂを介して、あるいは介すことなく設けられていても、設置面に対してある程度の接着力を発揮可能に設けられるので特に問題としない。
【００２１】
次に、図１（ｂ）において、容器収容型入浴材１の背面側では、凹部９が形成された蓋２ｂが容器本体２ａに設置されている。また、凹部９の平面部分には複数の孔３が穿設されている。凹部９は、詳細については後述するが、浴槽の側面に設置される温水循環口に容器２を被装できるように窪んでおり、また、吸盤５ａ，５ｂは、凹部９が温水循環口を被装した状態で浴槽に固定できるようになっている。したがって、温水循環口から吐出される温水は、蓋２ｂの孔３から容器２内に浸入し、容器２内の入浴材に接触しながら、入浴材の成分を溶出して、溶出した成分とともに容器本体２ａの孔３から浴槽に流出される。
なお、孔３は、蓋２ｂの平面部分以外に設けてもよく、また、図１（ａ）中の容器本体２ａにおいても、前面だけでなく側面に孔３を設けることもできる。
【００２２】
次に、図２は、図１（ａ）中にＡ−Ａ線で示された部分の矢視断面図である。
図２において、容器収容型入浴材１では、容器２の容器本体２ａと蓋２ｂの間に収容部１０が形成されており、この収容部１０には、入浴材であるトルマリンボール１１、ゲルマニウムボール１２、ラジウムボール１３、麦飯石１４、トルマリン鉱石１５及びゲルマニウム鉱石１６が収容されている。
また、前述したように容器２の蓋２ｂには凹部９が形成されており、浴槽の側面に設置される温水循環口に凹部９を被せるようにして設置すると、温水循環口から吐出する温水は、蓋２ｂの孔３を通って収容部１０に入り、トルマリンボール１１等の入浴材と接触して、容器本体２ａの複数の孔３から浴槽内に流出される。この際、収容部１０では、温水との接触によって入浴材からは各々の成分が溶出されたり、入浴材の特有の作用が発揮されたりして、浴槽には各種入浴材の有用成分や効能を含んだ温水が供給される。また、浴槽内の湯温維持のために温水循環口から供給される熱い温水は、容器本体２ａの複数の孔３に分散されるので、入浴者が火傷し難く安全性が高いものとなる。
【００２３】
トルマリンボール１１及びトルマリン鉱石１５は、温度と湿度によって、マイナスイオンと遠赤外線を半永久的に放出することができる。
また、ゲルマニウムボール１２及びゲルマニウム鉱石１６は、体内の酸素を豊富にし、血行の促進や発汗作用の促進に効果的である。
そして、ラジウムボール１３では、低線量の放射線を発生し、この放射線によって神経痛、リューマチや痛風などを療養する有益な効果を発揮する。
麦飯石１４は、無数の微細な孔を有しており、この孔によって水道水のカルキの臭いや浴湯中の雑菌や汚れを吸着することができる。また、有用なミネラル成分を溶出することもできる。
なお、トルマリンボール１１、ゲルマニウムボール１２及びラジウムボール１３は、トルマリン、ゲルマニウム及びラジウムの各種鉱石を粉砕してボール状に加工したシリコンボールである。
また、収容される入浴材は固体であれば特に限定されるものではないし、図示するすべての入浴材を収容しなければならないということでもない。入浴材の種類としては、他にも天照石等の鉱石や、また、ヒノキ等の木材でもよい。
さらに、本実施の形態においては、収容部１０自体も凹型に形成されて温水循環口を覆うように構成されているが、収容部１０自体は円板状に形成し、すなわち、蓋２ｂのみを凹型に形成して温水循環口を覆うように形成し、蓋２ｂの側面が温水循環口の側面に当接して、収容部１０が温水循環口の前面に被着されるように構成してもよい。但し、この場合には、温水循環口に設けられる温水が吸水される吸水口あるいは温水が給水される給水口が前面に設けられていることが前提である。
【００２４】
そして、容器２の収容部１０に着脱可能に収容できて、温水が流通可能な孔と入浴材を収容可能な第２の収容部を有する第２の容器を具備するようにしてもよい。例えば、ネット状材料で縫成される袋などが挙げられる。このような第２の容器を具備すると、使用とともに消耗する入浴材を用いる場合には、交換時の作業を迅速かつ簡単に行うことができる。また、特に、孔が細かいものを選定すると、入浴材が損傷した場合に生ずる破片を外部に出すことがないので、浴槽を汚したり、温水器の故障の原因になったりすることを防止できる。ネット状材料としては、化学繊維でもよいし、綿などの天然繊維でもよい。
さらに、第２の容器としては、容器２の収容部１０に着脱可能なように円柱状あるいは円筒状の合成樹脂製の剛性容器も考えられる。この剛性容器内に入浴味を収容して、パッケージユニットとして収容部１０に収容するようにするものである。
【００２５】
次に、容器収容型入浴材の設置について図３を参照しながら説明する。
図３（ａ）は、第１の実施の形態に係る容器収容型入浴材を浴槽に設置した場合の概念図であり、（ｂ）は浴槽に設置されているストレーナの斜視図である。
図３（ａ）において、符号１９は、給湯器であり、電気やガスによって水道２３から配水される水を加熱して温水を供給するものである。また、追炊きの際には、浴槽１７の側面に設置される温水循環口１８に接続される吸水管２０から浴槽１７内の湯がポンプ２２によって吸引されて給湯器１９の内部を通って加熱されて熱い湯となり、給水管２１からポンプ２２によって温水循環口１８を経て浴槽１７内に吐出される。そして、容器収容型入浴材１は、温水循環口１８に被装するように設置されており、温水循環口１８によって吸水されたり吐出されたりする浴槽１７の温水は、容器収容型入浴材１の内部をも繰り返し循環するので、温水循環口１８の循環機能を利用して、容器収容型入浴材１に収容される入浴材の成分を含んだ温水を浴湯全体に拡散させることができる。また、麦飯石では雑菌や臭いを吸着して、浴湯を清潔に保つことができる。なお、図示していないが、水道２３から配水される水を加熱した温水を温水循環口１８から浴槽に給水してもよく、この際にも、温水は温水循環口１８から容器収容型入浴材１を経由するので、容器収容型入浴材１に収容される入浴材の効果を浴湯全体に広げることができる。
【００２６】
また、図３（ｂ）において、ストレーナ２４は、通常、温水循環口１８に覆設されるものであり、側面に設けられる網目２５や、前面に設けられる網目２６によって浴湯中のゴミを吸水管や給水管や給湯器に入るのを防止する役目を担っている。容器収容型入浴材１はこのストレーナ２４が設置された温水循環口に被装されることが好ましい。但し、容器収容型入浴材１にストレーナ２４の網目２５、網目２６と同様の機能を施せば、ストレーナ２４を備えることなく設けられている温水循環口に直接設置することも可能である。
【００２７】
このように構成された本実施の形態においては、自宅の浴槽等に設置することによって手軽に鉱泉成分を含んだ温浴を行うことができる。また、浴槽に設けられる温水循環口に被装して固定するので、浴槽の側面を傷つけることなく、また、入浴時に邪魔になり難く、さらに、温水循環口からの熱い温水を分散して浴槽内に流出するので入浴者の火傷防止など、安全性が高いものとなる。そして、温水循環口の吸水や吐出を利用しているので、浴湯全体に入浴材の効果を拡散することができる。
なお、本実施の形態では、吸盤を用いて容器収容型入浴材を浴槽に固定しているが、固定方法は吸盤に固定されるものではなく、ボルトを用いて浴槽に直接螺合するようにしてもよい。この場合にも浴槽の側面への傷つけを防止することが可能である。また、浴槽に係止可能な鎖を備えて吊設したりするようにしてもよいが、この場合には、容器と浴槽の側面が接触するため浴槽への傷つけという課題が残ってしまう。
また、容器の形状や収容部に収容される入浴材の配置も特に限定されるものではなく、温水循環口の吐出口や吸水口の配置に併せてこれらに隣接するように設計するとよい。
【００２８】
次に、本発明の第２の実施の形態について図４を参照しながら説明する。（特に、請求項２に対応）
図４は、本発明の第２の実施の形態に係る容器収容型入浴材の概念図である。
図４において、容器収容型入浴材２７は、容器２８が二重円筒状、すなわちドーナツ形状であり、この容器２８の略中央には外嵌孔３９が形成されている。そして、この外嵌孔３９は浴槽の温水循環口に設けられるストレーナ２４に外嵌可能であり、吸盤３０ａ，３０ｂによって容器２８を浴槽に固定することができる。また、容器２８の前面と外嵌孔３９の周部には複数の孔２９が穿設されている。そして、図示していないが、容器２８の内部には、収納部が形成され、トルマリンボール、ゲルマニウムボール、ラジウムボール、麦飯石、トルマリン鉱石及びゲルマニウム鉱石などの固体の入浴材が収容されている。
このように容器収容型入浴材２７をストレーナ２４の周部に隣接するように構成すると、温水が温水循環口の下方の側部から吐出される場合は、温水循環口に被装されるストレーナ２４の下方の側部から吐出されるので、吐出される温水は、容器２８の外嵌孔３９の周部の複数の孔から容器２８の内部に浸入し、収容部の入浴材と接触して、入浴材の成分を溶出させたり、入浴材の各種作用を引き出したりして、容器２８の前面の孔２９や外嵌孔３９の周部の孔から浴槽へ流出される。したがって、温水循環口からの温水の吐出する流れを利用して、入浴材の効果を浴湯全体の拡散することができる。また、温水循環口からの熱い温水を複数の孔２９から分散して流出するので、入浴者が火傷することがなく、安全性が高くなっている。
なお、本第２の実施の形態では、容器２８は円形のドーナツ形状であるが、容器の形状は特に限定されるものではなく、温水循環口の吐出口に隣接していればよく、半円状など円形の部分的なドーナツ形状（二重円筒形状）などでもよい。
また、本第２の実施の形態では、ストレーナ２４の前面に被着されないため、ストレーナ２４の前面のみから湯水が供給されるような場合には望ましくない。しかしながら、通常の浴槽では入浴者の火傷防止のために側面から供給される場合が多いので、本実施の形態における容器収容型入浴材２７においても作用・効果が期待できるのである。
【００２９】
次に、本発明の第３の実施の形態について図５及び図６を参照しながら説明する。（特に、請求項３に対応）
図５（ａ）は、本発明の第３の実施の形態に係る容器収容型入浴材の前面の斜視図であり、（ｂ）は浴槽の側面に形成されている温水循環口の外形図である。
図５（ａ）において、容器収容型入浴材３２は、浴槽に設けられる温水循環口に直接固定する構成であり、容器３３と、この容器３３の内部に収容される固体の入浴材と、容器３３を温水循環口に固定する固定ボルト３５を備えるものである。そして、容器３３の前面に設けられる複数の孔３４は、温水を濾過可能な微細なものであり、浴湯中のゴミを温水循環口の内部に通過させないようになっており、容器収容型入浴材３２は、通常、温水循環口に設置されるストレーナの機能を具備したものである。あるいは、孔３４には容器３３の内側に例えばステンレス製の網を設けてストレーナ機能を持たせてもよい。また、後述するが、容器３３の背面側には温水循環口に嵌合可能な凹部が形成されている。
一方、図５（ｂ）において、円柱形状の温水循環口３６は略中央にボルト穴３７が形成されている。図５（ａ）に示す容器収容型入浴材３２は、この温水循環口３６を被装するように嵌合し、図５（ａ）の固定ボルト３５をボルト穴３７に螺合することにより、容器収容型入浴材を温水循環口に固定することができる。
また、温水循環口の下方の周部には、吸水口３８が設けられている。図示していないが、温水循環口の下方の反対側の周部には吐出口が設けられており、吸水口３８から吸水される浴槽の温水は、給湯器を経由して加熱されて吐出口から吐出される。
【００３０】
そして、図６は、図５（ａ）中にＢ−Ｂ線で示された部分の矢視断面図である。
図６において、容器収容型入浴材３２の断面をみると、容器本体３３ａと蓋３３ｂで構成される容器３３の蓋３３ｂ側には、温水循環口に嵌合できるように凹部３１が形成されている。そして、前述の通り、この凹部３１を温水循環口に嵌合した状態で、固定ボルト３５を温水循環口のボルト穴に螺合すると容器収容型入浴材３２を温水循環口に固定することができる。
また、容器本体３３ａと蓋３３ｂの間には、収容部４０が形成されており、入浴材であるトルマリンボール１１、ゲルマニウムボール１２、ラジウムボール１３、麦飯石１４、トルマリン鉱石１５及びゲルマニウム鉱石１６が収容されている。なお、これらの入浴材は、前述の第１の実施の形態と同様のものであり、詳細な説明については省略する。
そして、蓋３３ｂの平面部分には複数の孔４１が穿設されており、温水循環口の吐出口から吐出される温水は、これらの複数の孔４１から収容部４０に浸入し、入浴材と接触して入浴材の効能を含んで、容器本体３３ａの微細な複数の孔３４から浴湯中に拡散される。逆に、温水循環口の吸水口からの吸引によって、浴湯は、容器本体３３ａ側の微細な孔３４においてゴミなどの不要物が濾過されて収容部４０の入浴材の間を通過して蓋３３ｂ側の孔４１を通って温水循環口の吸水口（図示せず）に吸水される。
なお、符号４２は、パッキンであり、容器収容型入浴材３２を温水循環口に密着させて固定することができ、ゴミなどの不要物が温水循環口へ混入しないように防止するとともに、浴槽の側面への傷つけ防止のためのものである。
このように構成される本実施の形態においては、第１及び第２の実施の形態の効果に加えて、容器収容型入浴材とストレーナを一体化しているので、容器収容型入浴材の小型化が可能であり、コンパクトに構成されながらも効果的な温浴を可能にする容器収容型入浴材を提供できる。
【００３１】
次に、本発明の第４の実施の形態について図７を参照しながら説明する。図７（ａ）は本実施の形態に係る容器収容型入浴材を設置するための温水循環口を示す概念図であり、（ｂ）は本実施の形態に係る容器収容型入浴材を示す概念図である。これらの図において、図５及び図６に記載されたものと同一部分については同一符号を付し、その構成についての説明は省略する。
図７（ａ）において、円柱状の温水循環口３６ａの側面にはカギ状に凹設された複数の受部４３が形成されている。この受部４３に対して、図７（ｂ）に示される容器収容型入浴材３２ａの容器３３の蓋３３ｂの内側に固定部として凸設された固定用突部４４を押入れ、受部４３のカギ状部分に固定用突部４４が止まるように嵌合させることで、容器収容型入浴材３２ａを浴槽に固定する。
このような受部４３と固定用突部４４によれば、例えば図１や図４に示されるような吸盤５ａ，５ｂ，３０ａ，３０ｂや図６に示されるボルト３５を設けることなく、浴槽に簡単にしかも確実に着脱、固定することが可能である。
但し、図７（ａ）に示されるとおり、浴槽の温水循環口３６ａには、本実施の形態に係る容器収容型入浴材３２ａに設けられた固定用突部４４に嵌合可能に形成される必要がある。
本実施の形態に係る容器収容型入浴材３２ａは、図６に記載される第３の実施の形態に係る容器収容型入浴材３２の変形例として蓋３３ｂの内側に固定用突部４４を設けたが、第３の実施の形態に係る容器収容型入浴材に限定するものではなく、図１及び図２に示される第１の実施の形態に係る容器収容型入浴材１に設けられる固定部である吸盤５ａ，５ｂに代えて、蓋２ｂの内側に図７（ｂ）に示されるような固定用突部４４を凸設してもよい。さらに、同様に図４に示される第２の実施の形態に係る容器収容型入浴材２７に設けられる吸盤３０ａ，３０ｂに代えて固定用突部４４を凸設してもよい。これらの場合にも、もちろん、浴槽の温水循環口３６ａに図７（ａ）に示されるような受部４３を設けておく必要がある。
【００３２】
次に、本発明の第５の実施の形態について図８を参照しながら説明する。図８は本実施の形態に係る容器収容型入浴材を示す概念図である。図８において図５に記載されたものと同一部分については同一符号を付し、その構成についての説明は省略する。
図８において、容器収容型入浴材３２ｂは、その容器３３周面に固定用吊具４５を備えるものである。この容器収容型入浴材３２ｂは、これまでの実施の形態に係る容器収容型入浴材とは異なり、浴槽内の側面あるいは温水循環口に固定されるものではなく、固定部として固定用吊具４５を備えて、この固定用吊具４５にチェーンなどを通してそのチェーンを蛇口や浴槽の上部に設けられるフックなどの掛止物に掛けて、浴槽内に位置するように固定するものである。容器収容型入浴材３２ｂの位置としては、例えば蛇口から給湯する場合には、その蛇口から流れる湯を受けるような位置に固定されるようにしておくと容器３３内部の収容部に設けられた入浴材から各々の成分が溶出したり、入浴材特有の作用が発揮されることで浴槽に各種入浴材の有効成分や効能を含んだ温水が供給されることになる。しかも、蛇口近傍は、熱い湯が出るため元々浴槽内でも入浴者が近寄らないエリアであるので、設置していても入浴の邪魔にならず、スペース効率という観点から設置場所には都合がよい。
また、本実施の形態に係る容器収容型入浴材は、最も簡単な構造であり、製造やメンテナンスも容易であるが、位置の固定が堅固ではなく、湯が当たると振動を起して収容部内の入浴材に湯が通り難い可能性がある。
なお、本実施の形態においては、固定用吊具４５を設けてチェーンなどの吊材を用いて浴室の壁面などに設けられた掛止物に掛ける構造としたが、固定用吊具４５自体を長めに形成して、吊材を用いることなく直接掛止物へ掛けられるように構成してもよい。
【００３３】
最後に、本発明の第６の実施の形態について図９を参照しながら説明する。図９は本実施の形態に係る容器収容型入浴材を示す概念図である。図９において図６に記載されたものと同一部分については同一符号を付し、その構成についての説明は省略する。
図９において、本実施の形態に係る容器収容型入浴材３２ｃは、容器本体３３ａに外側流通孔４７ａ及び内側流通孔４７ｂを設けて、より容器収容型入浴材３２ｃ内外に対する湯の流通を促進可能にするものである。特に、第５の実施の形態に係る容器収容型入浴材３２ｂにおいては、上部より蛇口の湯などが供給されるので、その湯を受ける容器本体３３ａの側面に外側流通孔４７ａを備えておくと、その収容部４０内に湯が流通容易である。さらに、図９には示していないが、図中外側流通孔４７ａが設けられている部分を凹状に形成する場合には、その部分に蛇口からの湯を落とし込むことができ、給湯時の飛散を防止してより効率的に容器３３の収容部４０に湯を流通させることができる。
また、浴槽に設けられる温水循環口から給湯あるいは温水が循環するような場合には、容器３３の蓋３３ｂに内側流通孔４７ｂを設けておくことで、より湯の流通が容易である。もちろん、これらの外側流通孔４７ａ、内側流通孔４７ｂは、容器本体３３ａや蓋３３ｂに穿設されている孔３４，４１よりも大きく設けておく必要がある。形状としては、円形である必要はなく、矩形状や多角形状あるいは帯状に形成されてもよく、湯が流通容易であればよい。
収容部４０に収容される各種の入浴材がこれらの流通孔からこぼれ落ちることを防止するために容器本体の内面側には外側ストレーナ４６ａを、蓋３３ｂの内面側には内側ストレーナ４６ｂを設けておくことが望ましい。
これらの外側流通孔４７ａ及び内側流通孔４７ｂは、いずれか一方のみ設けてもよいし、外側ストレーナ４６ａや内側ストレーナ４６ｂも同様である。さらに、ストレーナは、流通孔を設けない場合であっても孔３４，４１が設けられる限りこれらの孔３４,４１からの入浴材の流出を防止するために設けてもよい。
また、これらの外側ストレーナ４６ａ、内側ストレーナ４６ｂ及び外側流通孔４７ａ、内側流通孔４７ｂは、第１乃至第５の実施の形態のいずれにおいても設けてもよいことも言うまでもない。
【産業上の利用可能性】
【００３４】
以上説明したように、本発明の請求項１乃至請求項５に記載された発明は、手軽に鉱泉成分を含んだ温浴を可能にする容器収容型入浴材を提供可能であり、一般家庭を始め、専用施設などにおいて利用可能である。
【図面の簡単な説明】
【００３５】
【図１】（ａ）は本発明の第１の実施の形態に係る容器収容型入浴材の前面の斜視図であり、（ｂ）は同じく容器収容型入浴材の背面の斜視図である。
【図２】図１（ａ）中にＡ−Ａ線で示された部分の矢視断面図である。
【図３】（ａ）は第１の実施の形態に係る容器収容型入浴材を浴槽に設置した場合の概念図であり、（ｂ）は浴槽に設置されているストレーナの斜視図である。
【図４】本発明の第２の実施の形態に係る容器収容型入浴材の概念図である。
【図５】（ａ）は本発明の第３の実施の形態に係る容器収容型入浴材の前面の斜視図であり、（ｂ）は浴槽の側面に形成されている温水循環口の外形図である。
【図６】図５（ａ）中にＢ−Ｂ線で示された部分の矢視断面図である。
【図７】（ａ）は第４の実施の形態に係る容器収容型入浴材を設置するための温水循環口を示す概念図であり、（ｂ）は第４の実施の形態に係る容器収容型入浴材を示す概念図である。
【図８】本発明の第５の実施の形態に係る容器収容型入浴材の概念図である。
【図９】本発明の第６の実施の形態に係る容器収容型入浴材の概念図である。
【符号の説明】
【００３６】
１…容器収容型入浴材  ２…容器  ２ａ…容器本体  ２ｂ…蓋  ２ｃ…リベット  ３…孔  ４…固定具  ５ａ，５ｂ…吸盤  ６ａ，６ｂ…ロック部材  ７ａ，７ｂ…連結部材  ８ａ，８ｂ…支持部材  ９…凹部  １０…収容部  １１…トルマリンボール  １２…ゲルマニウムボール  １３…ラジウムボール  １４…麦飯石  １５…トルマリン鉱石  １６…ゲルマニウム鉱石  １７…浴槽  １８…温水循環口  １９…給湯器  ２０…吸水管  ２１…給水管  ２２…ポンプ  ２３…水道  ２４…ストレーナ  ２５…網目  ２６…網目  ２７…容器収容型入浴材  ２８…容器  ２９…孔  ３０ａ，３０ｂ…吸盤  ３１…凹部  ３２，３２ａ〜３２ｃ…容器収容型入浴材  ３３…容器  ３３ａ…容器本体  ３３ｂ…蓋  ３４…孔  ３５…ボルト  ３６，３６ａ…温水循環口  ３７…ボルト穴  ３８…吸水口  ３９…外嵌孔  ４０…収容部  ４１…孔  ４２…パッキン  ４３…受部  ４４…固定用突部  ４５…固定用吊具  ４６ａ…外側ストレーナ  ４６ｂ…内側ストレーナ  ４７ａ…外側流通孔  ４７ｂ…内側流通孔
【図１】
2009240462.tif 000003
【図２】
2009240462.tif 000004
【図３】
2009240462.tif 000005
【図４】
2009240462.tif 000006
【図５】
2009240462.tif 000007
【図６】
2009240462.tif 000008
【図７】
2009240462.tif 000009
【図８】
2009240462.tif 000010
【図９】
2009240462.tif 000011